(57)【要約】【課題】不良ラベルを被着物に貼付する前に摘出し、摘出した不良ラベルを記録保管できること。【解決手段】移送ドラム２０の周囲に配置され、ラベルの表面を監視する検知センサ７１と、貼付ドラム３０の周囲に配置され、貼付ドラム３０の外周面に台紙を当接及び離隔自在に配置して構成するラベルの摘出装置７０と、貼付ドラム３０の周囲に配置され、ラベルの裏面を監視する検知センサ７１´と、各検知センサ７１，７１´の検知信号を基にラベルの摘出装置の作動を制御する制御部８０とにより構成した。【選択図】図１
2007161341.tif 000002
【特許請求の範囲】
【請求項１】
ラベル供給手段と、ラベル供給手段から受け取ったラベルをドラムの外周面に吸着して移送する移送ドラムと、移送ドラムから受け取ったラベルをドラムの外周面に吸着して移送する貼付ドラムと、貼付ドラムへ被着物を供給する供被着物の搬送手段とを具備したラベリングマシンにおける不良ラベル除去装置であって、
移送ドラムの周囲に配置され、移送ドラムにより移送されるラベルの表面を監視する検知センサと、
貼付ドラムの周囲に配置され、貼付ドラムの外周面に台紙を当接及び離隔自在に配置して構成するラベルの摘出装置と、
貼付ドラムの周囲に配置され、貼付ドラムにより移送されるラベルの裏面を監視する検知センサと、
前記各検知センサの検知信号を基に監視しつつ、不良ラベルを検出したときにラベルの摘出装置の作動を制御する制御部とにより構成し、
被着物に貼付する前に不良ラベルを前記ラベルの摘出装置の台紙に貼付させて摘出するように構成したことを特徴とする、
ラベリングマシンおける不良ラベル除去装置。
【請求項２】
請求項１において、前記ラベルの表面を監視する検知センサがＣＣＤカメラであって、移送ドラムの周囲に配置した印字装置によりラベルの表面に印字した表記を監視することを特徴とする、ラベリングマシンおける不良ラベル除去装置。
【請求項３】
請求項１において、前記ラベルの裏面を監視する検知センサが上下一対のセンサであって、前記上下一対のセンサでラベルの傾斜を検出可能に構成したことを特徴とする、ラベリングマシンおける不良ラベル除去装置。
【請求項４】
請求項１において、前記ラベルの摘出装置が、台紙ロールを搭載した台紙テーブルと、台紙ロールのテープを巻き取る巻取テーブルと、前記台紙ロールから引き出した台紙を巻きかけて前記貼付ドラムの周面へ向けて進出及び後退可能に配置した進退ローラと、前記巻取テーブルを回転駆動する手段とにより構成し、進退ローラを進出及び後退する手段と前記巻取テーブルを回転駆動する手段とを、前記制御部により制御可能に構成したことを特徴とする、ラベリングマシンおける不良ラベル除去装置。
【請求項５】
請求項４において、前記巻取テーブルの回転軸に回転力の伝達及び遮断をするクラッチを介装し、前記クラッチを制御部により制御可能に構成したことを特徴とする、ラベリングマシンおける不良ラベル除去装置。
【請求項６】
請求項４において、進退ローラと巻取テーブルの間に、不良ラベルを貼付した台紙に印刷する補助印字装置を配設したことを特徴とする、ラベリングマシンおける不良ラベル除去装置。
【発明の詳細な説明】
【技術分野】
【０００１】
本発明は紙、樹脂、ガラス、金属等の各種素材で覆われた被着物にラベルを貼付する技術に関し、より詳細には貼付の直前に不良ラベルのみを正確に摘出するラベリングマシンおける不良ラベルの除去装置に関するものである。
【背景技術】
【０００２】
ロールラベルを搭載したラベリングマシンにおいては、ロールラベルからテープを引き出し、テープをカッタ装置で所定の長さに切断して製造したラベルを各種の被着物へ貼付している。
ロールラベル方式、又は枚葉ラベル方式の何れにおいても、被着物へラベルを貼付する直前に、ラベルに日付や商品コード、ロッド番号等を印字する場合がある。
【０００３】
ところでロールラベル中にはテープの継ぎ目が何箇所か存在し、継ぎ目箇所のラベルは不良ラベルであるから、被着物に貼付したまま市場に出すことはできない。また印字に失敗した不良ラベルも同様である。
【０００４】
現在、上記した不良ラベルの処理方法としては、ラベルの貼り付けを終えた被着物の搬出経路中に、不良ラベルの有無を検知する検知手段と、被着物着を搬出経路から択一的に排除するピックアップ手段とを配備し、検知手段の検知信号に基づき、ピックアップ手段が不良ラベルの貼付された被着物着を搬出経路から取り除くことで処理している。
【発明の開示】
【発明が解決しようとする課題】
【０００５】
従来の不良ラベルの処理技術にあってはつぎのような問題点がある。
（１）従来は貼付を完了した後に被着物と一緒に不良ラベルを取り除くことはできても、不良ラベルを単独で取り除くことができるラベリングマシンは、未だ提案されていない。
（２）不良ラベルは被着物に貼付した状態で取り除いている。
被着物は既に各種の商品が封入されているから、不良ラベルの発生はラベルだけの損失では済まず、仮に不良ラベルを剥がしても被着物にラベルの除去跡が残るためその商品価値が著しく低下する。
殊に、被着物の商品が高価なほど、不良ラベルの発生に伴う経済的な損失が大きい。
（３）現在、品質の良い医薬品を供給するために、医薬品の製造時の管理、遵守事項が定められていて（製造管理及び品質管理規則、略称「ＧＭＰ」）、不良ラベルについてもその発生記録を残すことが義務付けられている。
現在は、取り出した被着物から不良ラベルを手作業で剥がして保管しているが、不良ラベルの剥離作業に多くの時間と労力を要する。
（４）テープの継目箇所の裏面には、予め識別のための着色テープが貼られていて、ラベリングマシンの検知手段からの着色テープの読取信号を受けてピックアップ手段が特定の被着物を取り出している。
上記した不良ラベルの貼付された被着物を取り出すときは、ラベリングマシンの運転速度を減速している。
マシンの運転速度の変更に追従するためは、被着物を供給する側の搬送ラインを余裕を持った長い長さに設計しなければならず、大きな設置スペースを必要とする。
（５）市場ではラベリングマシンの高速運転化の要請があるものの、ラベリングマシンの運転速度が高まるほど、不良ラベルを貼付した被着物の取り出しが技術的に難しくなる。
そのため、現在の不良ラベルの処理技術は、ラベリングマシンの高速運転化を促進するうえで大きな阻害要因のひとつになっている。
【０００６】
本発明は以上の点に鑑みて成されたもので、その目的とするところはつぎの不良ラベルの除去装置を提供することにある。
（１）簡易な構造で以って、被着物に貼付する前に不良ラベルを除去できること。
（２）除去した不良ラベルの記録が残せること。
（３）ラベリングマシンの高速運転の促進が図れること。
（４）ラベリングマシンの付加価値を高めること。
【課題を解決するための手段】
【０００７】
本願の第１発明は、ラベル供給手段と、ラベル供給手段から受け取ったラベルをドラムの外周面に吸着して移送する移送ドラムと、移送ドラムから受け取ったラベルをドラムの外周面に吸着して移送する貼付ドラムと、貼付ドラムへ被着物を供給する供被着物の搬送手段とを具備したラベリングマシンにおける不良ラベル除去装置であって、移送ドラムの周囲に配置され、移送ドラムにより移送されるラベルの表面を監視する検知センサと、貼付ドラムの周囲に配置され、貼付ドラムの外周面に台紙を当接及び離隔自在に配置して構成するラベルの摘出装置と、貼付ドラムの周囲に配置され、貼付ドラムにより移送されるラベルの裏面を監視する検知センサと、前記各検知センサの検知信号を基に監視しつつ、不良ラベルを検出したときにラベルの摘出装置の作動を制御する制御部とにより構成し、被着物に貼付する前に不良ラベルを前記ラベルの摘出装置の台紙に貼付させて摘出するように構成したことを特徴とする、ラベリングマシンおける不良ラベル除去装置を提供する。
本願の第２発明は、前記第１発明において、前記ラベルの表面を監視する検知センサがＣＣＤカメラであって、移送ドラムの周囲に配置した印字装置によりラベルの表面に印字した表記を監視することを特徴とする、ラベリングマシンおける不良ラベル除去装置を提供する。
本願の第３発明は、前記第１発明において、前記ラベルの裏面を監視する検知センサが上下一対のセンサであって、前記上下一対のセンサでラベルの傾斜を検出可能に構成したことを特徴とする、ラベリングマシンおける不良ラベル除去装置を提供する。
本願の第４発明は、前記第１発明において、前記ラベルの摘出装置が、台紙ロールを搭載した台紙テーブルと、台紙ロールのテープを巻き取る巻取テーブルと、前記台紙ロールから引き出した台紙を巻きかけて前記貼付ドラムの周面へ向けて進出及び後退可能に配置した進退ローラと、前記巻取テーブルを回転駆動する手段とにより構成し、進退ローラを進出及び後退する手段と前記巻取テーブルを回転駆動する手段とを、前記制御部により制御可能に構成したことを特徴とする、ラベリングマシンおける不良ラベル除去装置を提供する。
本願の第５発明は、前記第４発明において、前記巻取テーブルの回転軸に回転力の伝達及び遮断をするクラッチを介装し、前記クラッチを制御部により制御可能に構成したことを特徴とする、ラベリングマシンおける不良ラベル除去装置を提供する。
本願の第６発明は、前記第４発明において、進退ローラと巻取テーブルの間に、不良ラベルを貼付した台紙に印刷する補助印字装置を配設したことを特徴とする、ラベリングマシンおける不良ラベル除去装置を提供する。
【発明の効果】
【０００８】
本発明は少なくともつぎのひとつの効果を奏する。
（１）台紙を不良ラベルの裏面に押し付けるだけで、被着物に貼付する前に不良ラベルを確実に摘出することができる。
（２）不良ラベルは貼付する前に摘出するので、従来のような不良ラベルを被着物に貼付することがなくなった。
そのため、ラベルが貼付されなかった被着物は、回収してそのままラベルの貼付へ供することができるので、被着物のロスがなくなり、不良ラベルの発生による経済的な損失を回避することができる。
（３）不良ラベルを摘出するためにラベリングマシンの運転速度を低速に落とす必要がなく、マシンを高速で運転したまま不良ラベルを確実に摘出することができる。
したがって、ラベリングマシンの高速運転化を促進することができる。
（４）ラベリングマシンの運転速度を変えずに不良ラベルを摘出できるので、被着物の搬送手段を構成する供給路のライン長が短くできるので、全体マシンの小型化、低コスト化を実現できる。
（５）ラベル表面に付した表示が不適切なラベルや、ラベル裏面に表示されたテープの継目を含むラベルだけでなく、傾いたラベルも貼付前に摘出できるので、幅広い種類の不良ラベルを取り除くことができる。
（６）摘出した不良ラベルは、台紙に貼り付けたまま記録保管することができる。
さらに不良ラベルを摘出して貼り付けた台紙に、補助印刷装置を用いて時間情報や不良の内容を印刷して正確に記録するようにすれば、不良ラベルの記録と管理を正確に行えるので、付加価値の高いラベリングマシンを提供することができる。
特に、医薬品の製造時の管理、遵守事項をＧＭＰ規則に対応したラベリングマシンを提供することができる。
【発明を実施するための最良の形態】
【０００９】
以下図面を参照しながら本発明の一実施の形態について説明する。
［構成］
【００１０】
（１）ラベリングマシンの概要
図１にラベリングマシンのモデル図を示す。
図示したラベリングマシンは、ラベル供給手段１０と、鉛直軸２１を中心に回転するドラムであって、ラベル供給手段１０から供給されるラベルをドラムの外周面で受け取り、外周面に吸着して移送する移送ドラム２０と、移送ドラム２０に隣り合うように設けられ、鉛直軸３１を中心に回転するドラムであって、移送ドラム２０から供給されるラベルをドラムの外周面で受け取り、吸着して移送する貼付ドラム３０と、貼付ドラム３０へ被着物４０を供給する供給路５１及びラベルの貼付を終えた被着物４０を搬出する搬出路５２からなる被着物の搬送手段５０とを具備している。
【００１１】
ラベル供給手段１０はロールラベルから引き出したテープをカッタ装置で切断して供給する公知のロールラベル供給方式と、水平方向に往復揺動するラベルカセットに多数のラベルを収容し、ラベルカセットの先端部から順次ラベルを繰り出す公知の枚葉ラベル供給方式を含むものである。
【００１２】
また移送ドラム２０と貼付ドラム３０は、外周面に多数の負圧孔が開設されていて、ラベルの移送範囲に亘って外周面の負圧孔に負圧を生じ、ラベルの受け渡し時に負圧が切れる共通の構造を有している。
【００１３】
被着物の搬送手段５０を構成する供給路５１及び搬出路５２は、スクリューコンベア、ベルト式コンベア、スターホイール等で構成される。
本発明は後述するように不良ラベルの除去装置７０を装備し、マシン速度を変化させずに、不良ラベルを除去できるので、供給路５１の長さを従来のように長く確保する必要がなく、短い長さで対応することができる。
【００１４】
移送ドラム２０の近傍には印字装置６０が配備され、移送ドラム２０の外周面に吸着されて移送されるラベル表面に、例えば製造日時、使用期限等の日付情報や商品番号、ロッド番号等を表記することができるようになっている。
印字装置６０としてはインクジェット方式、レーザ印刷方式又はローラ印刷式等の公知の印刷方式を採用できる。
【００１５】
貼付ドラム３０の近傍には接着剤の供給手段６１が配備され、貼付ドラム３０の外周面に吸着されて移送されるラベル裏面に接着性を付与することができるようになっている。
接着剤の供給手段６１としては、図示した糊付ローラでラベル裏面に接着剤を直接塗布する糊付装置の他に、感熱式ラベルに対応してラベル裏面に高温を付与する加熱装置を含むものである。
以上の構成は公知のラベリングマシンと同様である。
【００１６】
（２）不良ラベルの除去装置
不良ラベルの除去装置は、移送ドラム２０の周囲に配置され、不良ラベルの有無を検知する検知センサ７１と、貼付ドラム３０の周囲に配置され、不良ラベルを摘出するラベルの摘出装置７０と、貼付ドラム３０の周囲に配置され、不良ラベルの有無を検知する検知センサ７１´と、検知センサ７１，７１´及びラベルの摘出装置７０に夫々電気的に接続していて、検知センサ７１，７１´の検知信号を基に監視しつつ、不良ラベルを検出したときにラベルの摘出装置７０へ作動指令を発する制御部８０とを具備する。
以下に各部について詳述する。
【００１７】
（検知センサ）
移送ドラム２０の周囲に配置した検知センサ７１は、例えば高感度のＣＣＤカメラで構成し、印字装置６０でラベル表面へ表示した文字や記号等の欠落や変色、色むらの有無等や、テープの継目箇所の裏面に貼られた識別のための着色テープの存在を監視する。
またラベル表面へ付した文字や記号の有無だけを監視する場合は、検知センサ７１としてラメラ機能を持たない光電管等の識別センサを使用することができる。
【００１８】
貼付ドラム３０の周囲であって、接着剤の供給手段６１とラベルの摘出装置７０との間に配置した検知センサ７１´は、例えば光電管等の識別センサで構成し、ラベル裏面に貼られたテープの継目を意味する着色テープの存在を監視する。
【００１９】
要は、各検知センサ７１、７１´は不良ラベルの定義に応じて最適なセンサを適宜選択すればよい。
本例では、印字装置６０で以ってラベル表面に付した表示が不適切なラベルと、ラベル裏面に表示されたテープの継目を含むラベルを不良ラベルと定義して説明する。
【００２０】
（ラベルの摘出装置）
ラベルの摘出装置７０は、台紙ロール７３を搭載した台紙テーブル７４と、台紙ロール７３のテープを巻き取る巻取テーブル７５と、両テーブル７４，７５の間に位置し、貼付ドラム３０の周面へ向けて進出及び後退可能に配置した進退ローラ７６とにより構成され、接着剤の供給手段６１の配設位置に対して貼付ドラム３０の回転進行側に配設されている。
【００２１】
台紙ロール７３からのびるテープの始端は、進退ローラ７６を経て巻取テーブル７５に巻き付けておく。
【００２２】
図２〜図４を基にラベルの摘出装置７０について詳述する。
図３に示すように、ラベリングマシンの基板４３には支軸７４ａが立設され、この支軸７４ａの上部に台紙テーブル７４が枢支されている。
台紙テーブル７４は空転式のテーブルであるが、支軸７４ａの段差部に上方から軽くナット等で押し付けて所定の制動力が付与されている。
台紙テーブル７４に制動力を付与したのは、台紙ロール７３から台紙を引き出す際に台紙の過剰な引き出しを防止するためである。
【００２３】
ラベリングマシンの基板４３には、支承筒７５ａが立設されていると共に、支承筒７５ａの内部に回転軸７５ｂが収容されている。
回転軸７５ｂの上部には、台紙テーブル７４が一体に設けられている。
【００２４】
本例では回転軸７５ｂに一方向へ向けた間欠的な回転を与えるため、回転軸７５ｂの下部に、回転力の断続を電気的に行える電磁クラッチ等のクラッチ７７が配設されている。クラッチ７７の入力軸側にはラベリングマシンのモータの回転駆動が常時伝達されるようになっている。クラッチ７７の出力軸側は回転軸７５ｂと接続していて、クラッチ７７に接続信号が入力されたときに回転力を伝えて回転軸７５ｂが回転するようになっている。
【００２５】
ラベリングマシンの基板４３に立設した支軸７８ａの中間部には、揺動板７８ｂが軸受を介して枢支され、支軸７８ａの上部には補助ローラ７８が回転自在に枢支されている。尚、補助ローラ７８は必須ではない。
【００２６】
揺動板７８ｂの一方には分岐支軸７６ａが立設され、この分岐支軸７６ａの上部に進退ローラ７６が回転自在に枢支されている。
【００２７】
支軸７８ａを間に挟んで揺動板７８ｂの他方には、取付柱７９ａを介して水平に向けて配設したシリンダ７９が接続されている。
シリンダ７９はエア等の流体の給排により伸縮する公知のシリンダで、シリンダ７９の伸縮作動により、支軸７６ａを中心に進退ローラ７６が水平方向に向けて往復移動するようになっている。
進退ローラ７６の前進量は、図２に示すようにローラの外周面が貼付ドラム３０の外周面に当接するまでとする。
【００２８】
（制御部）
図２に示したように制御部８０は、検知センサ７１，７１´及びラベルの摘出装置７０に夫々電気的に接続している。
検知センサ７１の前を通過するラベル表面を監視し、その一枚一枚のラベルに印字等を付した表示箇所のデータを制御部８０へ送信する。
制御部８０には、例えば正常な印字の対比データ、或いは不良印字データを予め保存しておき、この対比データと実際のラベルの表示を対比して表示が適切か否かを判断するプログラムが組み込まれている。
ラベルの表示が不適切と判断された場合は、図３に示したラベルの摘出装置７０を構成するクラッチ７７へ回転の伝達指令と、シリンダ７９へ伸縮指令を同時に発する制御プログラムが組み込まれている。
【００２９】
［作用］
つぎに不良ラベルの除去方法について説明する。
【００３０】
（１）ラベルの貼付
図１において、ラベル供給手段１０から供給されたラベルは、移送ドラム２０の外周面へ受け渡され、外周面に負圧により吸着されたラベルは貼付ドラム３０へ向けて移送される。
その移送の途中、ラベルが印字装置６０を通過するときに、ラベル表面に日付情報や商品番号、ロッド番号等が付される。
【００３１】
印字処理されたラベルは移送ドラム２０から貼付ドラム３０の外周面へ受け渡され、外周面に負圧により吸着されたラベルは搬送手段５０により供給される被着物４０へ向けて移送される。
その移送の途中、ラベルが接着剤の供給手段６１を通過することでラベル裏面に接着性が付与された後、被着物４０と出会って被着物４０にラベルが貼付される。
【００３２】
（２）ラベルの監視
検知センサ７１は、移送ドラム２０の外周面に吸着され、印字を完了したラベル表面の日付情報や商品番号、ロッド番号等、テープの継目を示す着色テープの存在を監視している。
貼付ドラム３０の周囲に配設した検知センサ７１´は、ラベル裏面に貼られたテープの継目を意味する着色テープの存在を監視している。
【００３３】
（３）不良ラベルの検出
制御部８０は各検知センサ７１，７１´を通じて各ラベル単位で表示した箇所を監視し、不良ラベルの通過を検出したときは、図３に示したラベルの摘出装置７０を構成するクラッチ７７へ回転の伝達制御指令と、シリンダ７９へ伸縮制御指令を同時に発する。
このとき、制御部８０は、ラベリングマシンの運転速度に対応して、不良ラベルがラベルの摘出装置７０へ到達するまでの移送時間を計算して制御指令を発信する。
【００３４】
（４）不良ラベルの摘出
【００３５】
制御部８０の制御を受けてシリンダ７９が収縮作動することに伴い、進退ローラ７６が支軸７６ａを中心に貼付ドラム３０の外周面へ当接するまで前進し、進退ローラ７６が支軸７６ａを中心に貼付ドラム３０の外周面へ当接したら、シリンダ７９が伸長作動することにより、進退ローラ７６が後退する。
【００３６】
進退ローラ７６が一回進退作動するときに、クラッチ７７が制御部８０の制御指令を受けて回転力が伝達されて、進退ローラ７６が少なくともラベル一枚分の長さだけ回転して停止する。
その結果、進退ローラ７６に巻き掛けた台紙ロール７３の台紙が不良ラベルの始端裏面と接触して不良ラベルを貼付ドラム３０の外周面から強制的に引き離す。
最終的に台紙に接着されて摘出された不良ラベルは、巻取テーブル７５に回収される。
【００３７】
進退ローラ７６の前後動と、巻取テーブル７５に付設したクラッチ７７の断続により巻取テーブル７５の回転駆動を高速で、かつタイミングよく行うことができる。
そのため、ラベルの移送速度が高速であっても、確実にかつ正確に不良ラベルを摘出することができる。
【００３８】
このように不良ラベルが進退ローラ７６の直前を通過する際に、進退ローラ７６が進退して台紙を不良ラベルの裏面に押し付けると同時に、巻取テーブル７５が台紙を所定の長さだけ巻き取るだけの工程で、貼付前に摘出した不良ラベルを台紙に移し変えて記録保存することができる。
【００３９】
つまり、不良ラベルが通過するときに、不良ラベルを被着物４０に貼付する前に摘出できるから、不良ラベルを摘出するためにラベリングマシンの運転速度を低速に落とす必要がなく、マシンを高速で運転したま不良ラベルを確実に摘出することができる。
したがって、ラベリングマシンの高速運転化を促進することができる。
そのうえ、ラベリングマシンの運転速度を変えずに不良ラベルを摘出できるので、被着物の搬送手段５０を構成する供給路５１のライン長が短くできるので、全体マシンの小型化、低コスト化を実現できる。
【００４０】
不良ラベルを貼付前に摘出することで、図１に示した貼付ドラム３０は正常ラベルのみを被着物４０に貼付することになる。
【００４１】
また不良ラベルを摘出したことで、貼付予定の被着物４０にはラベルが貼付されない。
ラベルが貼付されなかった被着物４０は、回収してそのままラベルの貼付へ供することができるので、被着物４０のロスがなくなる。
【００４２】
［その他の実施の形態１］
以降に他の実施の形態について説明するが、その説明に際し、前記した実施の形態１と同一の部位は同一の符号を付してその詳しい説明を省略する。
【００４３】
前記した形態では、ラベルの摘出装置７０の進退ローラ７６を進退させる手段として揺動板７８ｂとシリンダ７９等を組み合わせた場合について説明したが、進退ローラ７６を直接往復移動させる公知の各種往復移動機構を適用してもよい。
【００４４】
［その他の実施の形態２］
先の例では、印字装置６０で以ってラベル表面に付した表示が不適切なラベルと、ラベル裏面に表示されたテープの継目を含むラベルを不良ラベルと定義して説明するが、これに傾いたラベルを含めてもよい。
【００４５】
本例は図５，６に示すように、貼付ドラム３０の周囲であって、接着剤の供給手段６１とラベルの摘出装置７０との間に、上下一対の傾斜検知センサ７１ａ´，７１ｂ´を配設し、これらの傾斜検知センサ７１ａ´，７１ｂ´を制御部８０へ電気的に接続する。
【００４６】
一対の傾斜検知センサ７１ａ´，７１ｂ´は夫々高さ調整が可能であって、一対の傾斜検知センサ７１ａ´，７１ｂ´の検知高さを、ラベルＬが正しい姿勢のときの上辺、又は下辺の限界位置に予めセットしておく。
貼付ドラム３０の外周面に吸着されたラベルが傾いている場合は、一対の傾斜検知センサ７１ａ´，７１ｂ´の何れか一方、又は両方がラベルＬの上部、又は下部の存在を検知する。このとき制御部８０は不良ラベルと判断して、既述した不良ラベルの摘出制御を行う。
尚、図６において、符号７１´はラベル裏面に貼られたテープの継目を意味する着色テープの存在を監視する検知センサである。
【００４７】
本例にあっては、印字装置６０で以ってラベル表面に付した表示が不適切なラベルや、ラベル裏面に表示されたテープの継目を含むラベルだけでなく、傾いたラベルも貼付前に摘出できるので、幅広い種類の不良ラベルを取り除くことができる。
【００４８】
［その他の実施の形態３］
図５に示すように進退ローラ７６と巻取テーブル７５の間に、補助印字装置６２を配設してもよい。
補助印字装置６２は、制御部８０と電気的に接続していて、制御部８０の印字の指令を受けて、図７に例示するような巻き取った台紙Ｓに摘出した不良ラベルＬの摘出日時や不良の種類等を印刷するようにしてもよい。
図７において、破線で示したのは不良ラベルＬの裏面に貼られたテープの継目を意味する着色テープである。
【００４９】
本例のように不良ラベルＬを摘出して貼り付けた台紙Ｓに、時間情報や不良の内容を印刷して正確に記録できるので、不良ラベルの管理を正確に行えるので、付加価値の高いラベリングマシンを提供することができる。
【図面の簡単な説明】
【００５０】
【図１】本発明に係る不良ラベルの除去装置を備えたラベリングマシンのモデル図
【図２】一部を省略した不良ラベルの除去装置の平面図
【図３】一部を破断した不良ラベルの除去装置の側面図
【図４】一部を省略した不良ラベルの除去装置の斜視図
【図５】本発明に係る他の実施の形態２，３の説明図であって、一部を省略した不良ラベルの除去装置の平面図
【図６】本発明に係る他の実施の形態２の説明図であって、一部を省略した貼付ドラムの側面図
【図７】本発明に係る他の実施の形態３の説明図であって、台紙に不良ラベルの記録を印字した一例の説明図
【符号の説明】
【００５１】
１０・・・・・ラベル供給手段
２０・・・・・移送ドラム
２１・・・・・鉛直軸
３０・・・・・貼付ドラム
３１・・・・・鉛直軸
４０・・・・・被着物
５０・・・・・搬送手段
５１・・・・・供給路
５２・・・・・搬出路
６０・・・・・印字装置
６１・・・・・接着剤の供給手段
６２・・・・・補助印字装置
７０・・・・・ラベルの摘出装置
７１・・・・・検知センサ
７１´・・・・検知センサ
７３・・・・・台紙ロール
７４・・・・・台紙テーブル
７５・・・・・巻取テーブル
７６・・・・・進退ローラ
７７・・・・・クラッチ
７８・・・・・補助ローラ
７９・・・・・シリンダ
８０・・・・・制御部
【図１】
2007161341.tif 000003
【図２】
2007161341.tif 000004
【図３】
2007161341.tif 000005
【図４】
2007161341.tif 000006
【図５】
2007161341.tif 000007
【図６】
2007161341.tif 000008
【図７】
2007161341.tif 000009